(57)【要約】      （修正有）【課題】発光部が簡易な揺動軸受構造により前後に首振りし、加工組立てコストの低減とともに、広範な発光態様に対応し、照明時の利便性が向上される携帯用照明要素を提供する。【解決手段】二つ割ケースの左右の軸受支柱１６ｂａ，１６ｂｂに発光部１を揺動位置決め自在に軸支し、下端にバッテリースナップで電源体２７が接合される携帯用照明要素において、発光部本体は、３分割接合され、中央のベースに配設される光源は、砲弾型ＬＥＤ１０や広角型（フレックス）ＬＥＤ１１が混在するもので、これらの発光態様に合致した回路を有する基板がベースの下面に交換自在に接合される。揺動軸受構造としては、二つ割ケースの両軸受支柱に設けるピース受１７、１８と、一方の下方を開口した軸受ピース１３と、他方の横方向（後方縦縁）を開口した軸受ピースとにより、発光部を軸支する。また、正面ケース１６ｂにクリップを接合する。【選択図】図９
0003194906.tif 000002
【実用新案登録請求の範囲】
【請求項１】
側面方向で縦割に接合される二つ割ケースと、該二つ割ケースの上方二股部に揺動位置決め自在に軸支される発光部と、該発光部に一方が電気的に接続され、他方が該二つ割ケースの下端に設けたバッテリースナップに接続されるスイッチ機構とからなる携帯用照明要素において、
前記発光部が、左右の側板と、各側板を接合して所要のＬＥＤを配設するベースと、該ベースの下面に接合される所要の基板とからなる発光部本体を形成するとともに、両側板に嵌着されるそれぞれの軸受ピースにより軸支されて成る携帯用照明要素。
【請求項２】
前記発光部において、左右方向にそれぞれ一対の砲弾型ＬＥＤを配設し、中央に一個の広角型ＬＥＤを配設して成る請求項１記載の携帯用照明要素。
【請求項３】
前記側板の一方に嵌着される軸受ピースが所要の内径で下方に開口され、他方に嵌着される軸受ピースが、軸受孔をその直径寸法で後方縦縁に貫通して成る請求項１又は２記載の携帯用照明要素。
【請求項４】
前記二つ割ケースの前面下方にクリップを接合して成る請求項１、２又は３の何れか１項に記載した携帯用照明要素。
【考案の詳細な説明】
【技術分野】
【０００１】  本考案は、電源外付けの携帯用照明技術の分野に属する。
【背景技術】
【０００２】  側面方向で縦割に接合される二つ割ケースと、該二つ割ケースの上方に設けられる二股部に揺動位置決め自在に軸支されてＬＥＤが発光される発光部と、該発光部に一方が電気的に接合され、他方が該二つ割ケースの下端に設けたバッテリースナップに接続されるスイッチ機構とからなり、前記バッテリースナップに電源体（マンガン乾電池９Ｖ形等）を接続して使用される携帯用ライトは、弊社において意匠登録第１２４７６０２号（特許文献１）として登録済みのものであるが、前記発光部の姿勢変更時の利便性の向上と、発光部本体の広範な発光態様に対応する点と、その加工コストの削減化に加え、その位置決め軸受構造のコスト削減化等の点で改良を要するものであった。また、発光ダイオードを光源とする発光部の発光軸を上下方向に（その他発光面を電源接続中心として）揺動自在とした発明が、特開２００２−３６７４０１号公報（特許文献２）に提案されているが、発光部の揺動軸支部はケースの長手方向に沿う軸心を中心に揺動するものではなく、ケースの短手方向に沿う揺動軸である上、発光部から離れた位置で揺動するものである。加えて、発光ダイオードを配列する基板の下方に設けたものであるから、ケースの構造がコンパクト化されていない。
【先行技術文献】
【特許文献】
【０００３】
【特許文献１】意匠登録第１２４７６０２号
【特許文献２】特開２００２−３６７４０１号公報
【考案の概要】
【考案が解決しようとする課題】
【０００４】  本考案は、発光部が簡易な揺動軸受構造により前後に首振りされる上、加工組立てコストの低減とともに、広範な発光態様に対応し、かつ照明時の利便性が向上される携帯用照明要素の提供をその目的とする。
【課題を解決するための手段】
【０００５】  本考案の請求項１に記載した携帯用照明要素は、側面方向で縦割に接合される二つ割ケースと、該二つ割ケースの上方二股部に揺動位置決め自在に軸支される発光部と、該発光部に一方が電気的に接続され、他方が該二つ割ケースの下端に設けたバッテリースナップに接続されるスイッチ機構とからなる携帯用照明要素において、
前記発光部が、左右の側板と、各側板を接合して所要のＬＥＤを配設するベースと、該ベースの下面に接合される所要の基板とからなる発光部本体を形成するとともに、両側板に嵌着されるそれぞれの軸受ピースにより軸支されて成る。
また、本考案の請求項２に記載した考案は、請求項１に記載した携帯用照明要素において、前記発光部が、左右方向にそれぞれ一対の砲弾型ＬＥＤを配設し、中央に一個の広角型ＬＥＤを配設して成る。
また、請求項３に記載した考案は、請求項１又は２に記載した携帯用照明要素において、前記側板の一方に嵌着される軸受ピースが所要の内径で下方に開口され、他方に嵌着される軸受ピースが、軸受孔をその直径寸法で後方縦縁に貫通して成る。
さらに、請求項４に記載した考案は、請求項１、２又は３の何れか１項に記載した携帯用照明要素において、前記二つ割ケースの前面下方にクリップを接合して成る。
【考案の効果】
【０００６】  本考案によれば、発光部は中央のベースに対して左右に接合される左側板と右側板の３分割構造であるから、射出成形コストが削減される。また、所要のＬＥＤが配設されるベースは両側板の水平軸を揺動軸心とする軸受ピースを介して二つ割ケースに揺動自在に軸支されるから、その発光軸は正面と背面に向けて各３段階に位置決めされる。このように、該発光部は正面ケースと背面ケースとの挟持接合により二つ割ケースにコンパクトに軸支収納され、しかも、所要の発光パターンを有する基板は、左右の両側板を外した状態でベースの下方に接合されるから、その作業は簡易となり、その上、正面ケースに収められる発光部は、他方の右側板に電路案内用の軸受ピースを装着し、一方の左側板には位置決め用の軸受ピースを外した状態で左右の軸受支柱に係着され、その後に一方の左側板に位置決め用の軸受ピースを押し込んでその左方を軸支するものであるから、組立コストが大幅に削減される。
さらに、発光部の発光軸を水平方向に向けた姿勢では、二つ割ケースの正面ケースにクリップを設けたから、ポケットの上縁などに係着して収納できるので、両手が自由になるなどで照明時の利便性が向上する。
【図面の簡単な説明】
【０００７】
【図１】発光部１の分解説明図で、（ａ）はその左側面図、（ｂ）はその正面図、（ｃ）はその右側面図。
【図２】発光部１のベース５の平面図。
【図３】スイッチ機構１５の説明図で、（ａ）はその平面図、（ｂ）はその正面図、（ｃ）はその底面図。
【図４】発光部１の発光部本体２の分解説明図。
【図５】二つ割ケース１６の背面ケース１６ａの説明図で、（ａ）はその正面図、（ｂ）はその左側面図、（ｃ）はその背面図。
【図６】前記図５の縦断面説明図で、（ａ）はそのＡ−Ａ矢視断面図、（ｂ）はそのＢ−Ｂ矢視断面図。
【図７】二つ割ケース１６の正面ケース１６ｂの説明図で、（ａ）はその正面図、（ｂ）はその左側面図、（ｃ）はその背面図。
【図８】前記図７の縦断面説明図で、（ａ）はそのＣ−Ｃ矢視断面図、（ｂ）はそのＤ−Ｄ矢視断面図。
【図９】正面ケース１６ｂに発光部１とスイッチ機構１５を収めた状態の説明図。
【図１０】発光部１の左側板６の軸受ボス６ｃに遊嵌される位置決め用の軸受ピース２６の説明図で、（ａ）その正面図、（ｂ）はその右側面図。
【図１１】発光部１の右側板７の凹部７ｃに遊嵌される電路案内用の軸受ピース１３の説明図で、（ａ）はその正面図、（ｂ）はその右側面図。
【図１２】クリップ２１の説明図で、（ａ）はその正面図、（ｂ）はその右側面図、（ｃ）はその背面図。
【図１３】本考案の携帯用照明要素Ａの使用状態を示す説明図。
【考案を実施するための形態】
【０００８】  発光部の揺動位置決め側の左側板と位置決め用の軸受ピースとの係合において、該軸受ピースの軸孔をその直径寸法で後方縦縁に貫通するものから、これに加えて、その貫通排除した円弧軸受部を、正面ケースのピース受に一体に設けるものなどでも提供される。また、発光部本体のベースに設けるＬＥＤは、その数が３乃至６個に至るものから、その形態が砲弾型のみのものから、これと広角型などの発光態様の異なる形態のＬＥＤを混在させるものなどでも提供される。
【実施例】
【０００９】  本考案の携帯用照明要素について具体的に説明すると、図１に示すように、発光部１は発光部本体２に対して上部に透光性カバー３が被蓋され、下部には後述の二つ割ケースと同色に着色された下カバー４が嵌着される。
そして、発光部本体２は図２、図４に示すように、中央のベース５に対して左側板６と右側板７が、該ベース５の左右端に突設したピン８とこれと同位相に配設された嵌合孔９との嵌合により接合されるが、両側板６、７の嵌合前に、ベース５には左右に上下一対の砲弾型ＬＥＤ１０が配設され、中央に一個の広角型（フレックス）ＬＥＤ１１が配設され、ベース５の下面にはこれらの発光態様（混在発光）に合致した回路がプリントされた基板１２が装着される。
上記の左側板６は発光部１の揺動位置決め側のものであり、図１（ａ）に示すように、フランジ６ａには中央上方の位置決め孔６ｂを中心に左右（前後）に３０°の間隔でそれぞれ３個の位置決め孔６ｂが貫設され、中心に軸受ボス６ｃが突設される。
一方、右側板７は発光部１の電路案内側のものであり、前記のフランジ６ａと同一外形のフランジ７ａの中心に、電路案内用の軸受ピース１３の下方が開口された軸１３ａを遊嵌するとともに、リード線１４を挿通するための空隙７ｂを配した凹部７ｃが配設されて成る。
次に、スイッチ機構１５について説明すると、図３に示すように、平板状の台座１５ａの上面には押しボタン１５ｅを有するオン・オフスイッチ１５ｂが接合され、下面に配設したバッテリースナップの＋電極１５ｃと−電極１５ｄにはそれぞれオン・オフスイッチ１５ｂの＋側と−側が接続され、これらにはそれぞれ発光部１の基板１２から右側板７の凹部７ｃに揺動自在に遊嵌される軸受ピース１３を介して案内されるリード線１４の＋側と−側に接続される。
ここで、発光部１を揺動自在に軸支する合成樹脂製の二つ割ケース１６について説明すると、縦割に分割された片割れの背面ケース１６ａは図５に示すように、所要に着色成形されて上方に二股状の軸受支柱１６ａａ、１６ａｂが立設され、左方の軸受支柱１６ａａの内面には図６（ａ）に示すように、砲弾を縦割したような半砲弾型の輪郭で、図５（ｃ）が示す所要深さのピース受１７が形成され、右方の軸受支柱１６ａｂの内面には図６（ｂ）に示すように、半ハット型の輪郭で、図５（ｃ）が示す所要深さのピース受１８とともに、該ピース受１８と下方の収納室１９を連通するリード案内溝２０が形成される。
このような背面ケース１６ａに接合される正面ケース１６ｂは、図７に示すように、前記と同色に着色成形されて上方には前記と同一外形の二股状の軸受支柱１６ｂａ、１６ｂｂが立設され、左方の軸受支柱１６ｂａの内面には図８（ａ）に示すように、半ハット型の輪郭で、図７（ｃ）が示す所要深さのピース受１８とともに、該ピース受１８と下方の収納室１９を連通するリード案内溝２０が形成され、右方の軸受支柱１６ｂｂの内面には図８（ｂ）に示すように、半砲弾型の輪郭で、図７（ｃ）が示す所要深さのピース受１７が形成される。
また、正面ケース１６ｂの前面には図１２に示すクリップ２１を接合するための位置決め座２１ａが所要間隔で一対配設される。
そして、背面ケース１６ａの下方の収納室１９の左側壁１９ａ及び正面ケース１６ｂの下方の収納室１９の右側壁１９ｂにはそれぞれ半円状の切欠き２２が形成されるとともに、各収納室１９の下方には前記のスイッチ機構１５の台座１５ａを嵌着する溝２３が設けられ、下端にはバッテリースナップの＋電極１５ｃと−電極１５ｄを挿通する半円状の切欠き２４がそれぞれ配設され、かつ、背面ケース１６ａの二つ割接合面２５の要所には嵌合孔２５ａが設けられ、この嵌合孔２５ａに嵌合されるピン２５ｂが正面ケース１６ｂの二つ割接合面２５に突設される。【００１０】  次に、背面ケース１６ａと正面ケース１６ｂが合体接合された二つ割ケース１６と発光部１との揺動位置決め構造について説明すると、発光部１の左側板６のフランジ６ａに突設された軸受ボス６ｃには、図１０に示す軸受ピース２６の後方（左側）縦縁に貫通した長孔状の軸孔２６ａの円弧部２６ｂが当接されて遊嵌され、そのとき、フランジ６ａの位置決め孔６ｂには図１０（ｂ）に示す軸受ピース２６の背面要所に突設した係合突起２６ｃが嵌着される。
なお、軸受ピース２６において、軸孔２６ａの直径寸法でその後方縦縁に向けて除去された円弧軸受部１７ａを正面ケース１６ｂのピース受１７に仮想線で示すように設けることも一考である。
さらに、発光部１の電路案内側の右側板７と二つ割ケース１６との関係を説明すると、右側板７のフランジ７ａの中心に設けた凹部７ｃには、図１１に示す軸受ピース１３の内方から下方に向けて開口部１３ｃを形成した円筒状の軸１３ａが遊嵌され、該軸受ピース１３の下部で左右に張り出した脚部１３ｂが、二つ割ケース１６の合体内面に形成されるハットのツバに嵌着して該軸受ピース１３は二つ割ケース１６に一定姿勢で保持され、発光部本体２のベース５の下面に接合された基板１２から取り出されたリード線１４はフランジ７ａの凹部７ｃに配設された空隙７ｂから軸受ピース１３の軸１３ａの開口部１３ｃを経てリード案内溝２０に案内され、前記のスイッチ機構１５に至るものである。【００１１】  ここで、二つ割ケース１６に発光部１を収めるについて、先ず正面ケース１６ｂに発光部１を収める要領について説明すると、図９に示すように、収納室１９の下方に形成された溝２３には、スイッチ機構１５の台座１５ａの長手方向の一方が嵌着されるとともに、オン・オフスイッチ１５ｂの押しボタン１５ｅが半円状の切欠き２２に遊嵌され、発光部１はその右側板７の凹部７ｃに軸受ピース１３の軸１３ａが軸支され、基板１２から延出されたリード線１４が軸１３ａの開口部１３ｃから案内された状態でリード案内溝２０に押し込まれて前記スイッチ機構１５のオン・オフスイッチ１５ｂに接続されるものである。そして、スイッチ機構１５の＋電極１５ｃと−電極１５ｄは正面ケースの下端に設けられたそれぞれの半円状の切欠き２４に収められる。
このように、発光部１はその右方が正面ケース１６ｂの背面視で右方の軸受支柱１６ｂａのピース受１８に嵌着した軸受ピース１３に軸支され、その左方は左側板６のフランジ６ａに突設した軸受ボス６ｃに軸受ピース２６を嵌着しない状態で背面視左方の軸受支柱１６ｂｂのピース受１７に収められるから、発光部１の正面ケース１６ｂへの収納が極めて簡易となり、この状態でピース受１７に向けて軸受ピース２６を開口側から軸受ボス６ｃに押し込めば、軸受ピース２６の軸孔２６ａの円弧部２６ｂが軸受ボス６ｃに当接し、かつ軸受ピース２６の係合突起２６ｃは左側板６のフランジ６ａを若干右方へ撓ませてフランジ６ａの位置決め孔６ｂに嵌着し、該発光部１はその両端がそれぞれ軸受ピース２６と軸受ピース１３に確実に軸支される。
したがって、発光部１を正面ケース１６に収めるについて、該発光部１の両側板６、７にそれぞれ軸受ピース２６（このものは軸孔２６ａのみ）、１３を装着した状態で正面ケース１６ｂに収納するときは、これらを親指と人差し指で押さえながら、それぞれのピース受１７、１８に押し込むこととなるが、押える指が邪魔になって軸受ピース２６、１３の何れかが外れ易く、そのセットに手間を要するものである。
これに対して、軸受ピース２６に軸孔２６ａの直径寸法でその後方縦縁に向けて開口したものでは、該軸受ピース２６は後付けできるから、片側の軸受ピース１３のみを右側板７に装着した状態で両指で押し込む際は、両指の何れか一方は左側板６のフランジ６ａをつまむことができるから、発光部１の正面ケース１６ｂへの装着が簡易となり、その後は前記した状態で軸受けピース２６をその開口側から軸受ボス６ｃに向けてピース受１７に押し込むだけで、発光部１はその両端が確実に軸支されて正面ケース１６ｂに収められ、この状態で背面ケース１６ａが二つ割接合面２５において、正面ケース１６ｂのピン２５ｂを嵌合孔２５ａに嵌合させて正面ケース１６ｂに合体接合される。
そして、正面ケース１６ｂの前面に設けた一対の位置決め座２１ａの上端にはＴ字状のクリップ２１の両肩の下面が位置決めされ、図１２（ｃ）に示す接着孔２１ｂに接着剤が盛られて前記前面にクリップ２１が接着される。【００１２】  このようにして成る携帯用照明要素Ａは、バッテリースナップの＋電極１５ｃと−電極１５ｄを介して電源体２７を接合して使用されるものであり、発光部１の発光軸を水平方向に向けた場合では、図１３に示すように、ポケット２８などの上縁にクリップ２１で係止されて使用できるから、両手が自由に使えることとなって利便性が向上する。
また、ＬＥＤの発光態様の変更については、発光部本体２のベース５への各ＬＥＤの配列で対応できる上、基板１２の取付けも左右の左側板６と右側板７を外した状態でなされるから、変更作業が軽減される。さらに、発光部本体２は３分割されて成形されるから、射出成形コストも削減される。その上、正面ケース１６ｂへの発光部１の取付けが、ピース受１７に対して軸受ピース２６を後付けの押し込みでなされるから、その組立コストも大幅に低減されるものである。
【産業上の利用可能性】
【００１３】  本考案は、合成樹脂の射出成形部材によるコンパクトな構造で、市販のマンガン乾電池９Ｖ形やアルカリ乾電池９Ｖ形等の電源体を直接接合して照明できるので、電源体を持ち手として使用でき、その分のコストが低減されるから安価に提供でき、しかも、発光態様の変更にも迅速に対応できるなどで照明業界の需要増大に資するとともに、射出成形業界の活性化にも貢献できる。
【符号の説明】
【００１４】１  発光部
２  発光部本体
３  透光性カバー
４  下カバー
５  ベース
６  左側板
６ａ  フランジ
６ｂ  位置決め孔
６ｃ  軸受ボス
７  右側板
７ａ  フランジ
７ｂ  空隙
７ｃ  凹部
８  ピン
９  嵌合孔
１０  砲弾型ＬＥＤ
１１  広角型ＬＥＤ
１２  基板
１３  軸受ピース
１３ａ  軸
１３ｂ  脚部
１３ｃ  開口部
１４  リード線
１５  スイッチ機構
１５ａ  台座
１５ｂ  オン・オフスイッチ
１５ｃ  ＋電極
１５ｄ  −電極
１５ｅ  押しボタン
１６  二つ割ケース
１６ａ  背面ケース
１６ａａ  軸受支柱
１６ａｂ  軸受支柱
１６ｂ  正面ケース
１６ｂａ  軸受支柱
１６ｂｂ  軸受支柱
１７  ピース受
１７ａ  円弧軸受部
１８  ピース受
１９  収納室
１９ａ  左側壁
１９ｂ  右側壁
２０  リード案内溝
２１  クリップ
２１ａ  位置決め座
２１ｂ  接着孔
２２  切欠き
２３  溝
２４  切欠き
２５  二つ割接合面
２５ａ  嵌合孔
２５ｂ  ピン
２６  軸受ピース
２６ａ  軸孔
２６ｂ  円弧部
２６ｃ  係合突起
２７  電源体
２８  ポケット
Ａ  携帯用照明要素
【図１】
0003194906.tif 000003
【図２】
0003194906.tif 000004
【図３】
0003194906.tif 000005
【図４】
0003194906.tif 000006
【図５】
0003194906.tif 000007
【図６】
0003194906.tif 000008
【図７】
0003194906.tif 000009
【図８】
0003194906.tif 000010
【図９】
0003194906.tif 000011
【図１０】
0003194906.tif 000012
【図１１】
0003194906.tif 000013
【図１２】
0003194906.tif 000014
【図１３】
0003194906.tif 000015